(57)【要約】【課題】建物の屋根または外壁を覆うカバー材が、横風により飛散するのを防止することができる防護カバーを提供する。【解決手段】  防護対象物の一部又は全部を覆う防護カバーＡであって、防護対象物との間に吹き込む横風を通す複数の通気部１２が形成されたカバー材１１と、各通気部１２の周縁に基端を連結した複数の筒型吹き抜き材１３とを備え、前記筒型吹き抜き材１３は、可撓性のある部材から形成され、自重で横臥したときに、前記通気部１２を覆うことを特徴とする。このようにして、防護カバーＡは、建物に強い横風が吹いたとしても、カバー材１１上に設けられた複数個の通気部１２と、各通気部１２からそれぞれカバー材１１の表面側に延伸された筒型吹き抜き材１３の内部を通して横風を逃がすことができ、常にカバー材を屋根の上部で覆う状態とすることができる。【選択図】図１
2010133213.tif 000002
【特許請求の範囲】
【請求項１】
防護対象物の一部又は全部を覆う防護カバーであって、
防護対象物との間に吹き込む横風を通す複数の通気部（１２）が形成されたカバー材（１１）と、
各通気部（１２）の周縁に基端を連結した複数の筒型吹き抜き材（１３）とを備え、
前記筒型吹き抜き材（１３）は、可撓性のある部材から形成され、自重で横臥したときに、前記通気部（１２）を覆うことを特徴とする防護カバー。
【請求項２】
筒型吹き抜き材（１３）には、カバー材（１１）の裏面に同筒型吹き抜き材（１３）が位置するのを防止する裏面抜け防止部材（１４）が配設されたことを特徴とする請求項１に記載の防護カバー。
【請求項３】
前記筒型吹き抜き材（１３）には、その中途部（Ｅ）または先端部（Ｄ）に環状体（１５）が配設され、
同環状体（１５）は、通気孔部（１２）の周縁よりも大きく形成することにより、裏面抜け防止部材（１４）を構成することを特徴とする請求項２に記載の防護カバー。
【発明の詳細な説明】
【技術分野】
【０００１】
この発明は防護カバー、詳しくは防護対象物一部又は全部を覆う防護カバーの構造に関する。
【背景技術】
【０００２】
従来、防護カバーの一形態として、建物（ビルや一戸建て住宅）の屋根または外壁を覆うカバー材がある。例えば、地震が起こった後に、破損した一部の瓦の補修用として、屋根を覆う柔軟なビニール製の防護カバーがある。この防護カバーで屋根を覆うことにより、風により瓦が飛散したり、雨水が建物内に浸水したりするのを防止することができる（例えば、特許文献１に記載）。
【先行技術文献】
【特許文献】
【０００３】
【特許文献１】特開２００２−１６７９２６号公報
【発明の概要】
【発明が解決しようとする課題】
【０００４】
ところが、前記防護カバーは一般的に軽量であるため、建物に吹き付ける強い横風により、その防護カバーが吹き上がったり、または飛散したりしてしまう。これにより、防護カバーの機能を果たすことがなく、結果的に、屋根または外壁への保護機能が無くなり、建物の内部に雨水が浸水することが生じてしまう。
【０００５】
この発明は、前記問題を解決するためになされたもので、建物の屋根などの防護対象物を覆うカバー材が、同カバー材と防護対象物との間に吹き込む横風により飛散するのを防止することができる防護カバーを提供することを目的とする。
【課題を解決するための手段】
【０００６】
請求項１に記載の発明は、防護対象物の一部又は全部を覆う防護カバーであって、
防護対象物との間に吹き込む横風を通す複数の通気部（１２）が形成されたカバー材（１１）と、各通気部（１２）の周縁に基端を連結した複数の筒型吹き抜き材（１３）とを備え、前記筒型吹き抜き材（１３）は、可撓性のある部材から形成され、自重で横臥したときに、前記通気部（１２）を覆うことを特徴とする防護カバーである。
【０００７】
請求項２に記載の発明は、筒型吹き抜き材には、カバー材の裏面に同筒型吹き抜き材が位置するのを防止する裏面抜け防止部材が配設されたことを特徴とする請求項１に記載の防護カバーである。
【０００８】
請求項３に記載の発明は、前記筒型吹き抜き材には、その中途部または先端部に環状体が配設され、同環状体は、通気孔部の周縁よりも大きく形成することにより、裏面抜け防止部材を構成することを特徴とする請求項２に記載の防護カバーである。
【発明の効果】
【０００９】
（１）請求項１に記載の発明によれば、防護対象物の一部又は全部を覆う防護カバーであって、防護対象物との間に吹き込む横風を通す複数の通気部（１２）が形成されたカバー材（１１）と、各通気部（１２）の周縁に基端を連結した複数の筒型吹き抜き材（１３）とを備え、前記筒型吹き抜き材（１３）は、可撓性のある部材から形成され、自重で横臥したときに、前記通気部（１２）を覆う。
【００１０】
このようにして、防護対象物に強い風が吹き付けられ、防護対象物とカバー材との間に強い風が吹き付けられても、カバー材に形成された複数の通気部とを通して、前記風を逃がすことができる。これにより、カバー材が吹き上がったり、飛散したりする事は無く、防護対象物の一部または全部を覆うことができる。また、筒型吹き抜き材は、可撓性のある部材から形成されているので、カバー材に設けられた通気部を覆った状態で、その自重でカバー上に横臥することとなる。これにより、筒型吹き抜き材で通気部が隠れることになり、防護カバーは防水性を有することとなる。
【００１１】
（２）請求項２に記載の発明によれば、筒型吹き抜き材には、カバー材の裏面に同筒型吹き抜き材が位置するのを防止する裏面抜け防止部材が配設されているので、通気部を通して、筒型吹き抜き材がカバー材の裏面側に入り込むのを防止することができる。また、筒型吹き抜き材が、カバー材の表面側に位置して通気部を覆うので、通気部を通してカバー材の裏面側への雨漏りを防止することができる。
【００１２】
（３）請求項３に記載の発明によれば、前記筒型吹き抜き材には、その中途部または先端部に環状体が配設され、同環状体は、通気孔部の周縁よりも大きく形成することにより、裏面抜け防止部材を構成するので、通気部を通して、環状体がカバー材の裏面側に位置するのを防止することができる。また、環状体により、カバー材の表面側に筒型吹き抜き材をより確実に横臥することができる。これにより、筒型吹き抜き材が、カバー材の表面側に位置して通気部を覆うので、通気部を通してカバー材の裏面側への雨漏りを防止することができる。
【図面の簡単な説明】
【００１３】
【図１】本実施形態における防護カバーの全体構成を示す斜視図である。
【図２】本実施形態における防護カバーの裏面にテーパーを設けた断面構造を示す断面図
【図３】本実施形態における防護カバーの製造フローを示す斜視図である。（ａ）は、筒体に切り目を入れた状態を示す斜視図である。（ｂ）は、筒体の先端部とカバー材との取り付け箇所の構造を示す斜視図である。（ｃ）は、カバー材に筒体の先端部が取り付けられた状態を示す斜視図である。
【図４】本実施形態における防護カバーの裏面抜け防止部材の取り付け構造を示す斜視図である。（ａ）は、棒状体を備えた裏面抜け防止部材の取り付け構造を示す斜視図である。（ｂ）は、板材を備えた裏面抜け防止部材の取り付け構造を示す斜視図である。
【図５】本実施形態における筒体の中途部に配設された環状体の構造を示す斜視図である。
【図６】本実施形態における住宅の屋根の上に設置した状態での防護カバーの全体構成を示す斜視図である。
【図７】本実施形態における防護カバーを建物の外壁周辺に設置された足場に取り付けた状態を示す斜視図である。
【発明を実施するための最良の形態】
【００１４】
以下、本願発明の実施の形態について、図面を参照しながらより具体的に説明する。図１は本実施形態における防護カバーの全体構成を示す斜視図、図２は本実施形態における防護カバーの裏面にテーパーを設けた断面構造を示す断面図、図３は本実施形態における防護カバーの製造フローを示す斜視図、図４は本実施形態における防護カバーの裏面抜け防止部材の構造を示す斜視図、図５は本実施形態における筒体内部に配設された環状体の構造を示す斜視図、図６は建物の屋根の上に設置した状態での防護カバーの全体構成を示す斜視図、図７は本実施形態における防護カバーを建物の外壁周辺に設置された足場に取り付けた状態を示す斜視図である。
【００１５】
実施形態における防護カバーＡは、工作物、建造物、自動車などの物体（以下、「防護対象物」とする。）の一部又は全部を覆って、風や雨などから保護するためのカバーであり、カバー材と防護対象物との間に吹き込む横風により防護対象物から飛散しないように構成している。
【００１６】
この防護カバーＡは、図１に示すように、カバー材１１と、このカバー材に連結された複数の筒型吹き抜き材１３とを備えている。
【００１７】
カバー材１１は、１枚のシートで構成され、その素材は、例えば、塩化ビニールまたはポリエチレン樹脂などの可撓性の樹脂シートが用いられる。カバー材１１は、防音性または防水性を有するものでもよい。防音性のものは、例えば、カバー材１１に、音を吸収する素材を貼り付けたものを使用する。また、防水性のものは、例えば、カバー材１１にフッ素コートなどの撥水面を形成したものを使用する。
【００１８】
このカバー材１１にはカバー材と防護対象物との間に吹き込む横風を通す複数の通気部１２が形成されており、この通気部１２の周縁に筒型吹き抜き材１３の基端が連結されている。
【００１９】
通気部１２は、円形または矩形の形状を有する通し孔で、カバー材１１に所定間隙を有して複数個配設されている。その通気部１２の大きさは限定されず、例えば、１０ｃｍ程度の通し孔を、カバー材１１に所定間隔を有して複数個設けることもできる。または、直径が１０ｃｍ程度のエリア内に１ｃｍ程度の通し孔１７を多数個設けた通し孔群で通気部１２を形成し、その通気部１２をカバー材１１に所定間隔を有して複数設けることもできる。
【００２０】
また、通気部１２は、カバー材１１に所定間隙を有して通し孔を複数個設けることにより、カバー材１１にどの方向からの横風が吹いても、その通気部１２を通して風を通すことができる。そして、図１に示すように、より風を受けやすいカバー材１１の周縁部の通気部１２を、カバー材１１の中央部よりも設置個数を増やしたり、横風を受けやすい箇所の通気部１２の大きさを他の箇所よりも大きくしたりして密度を上げて設けるようにしてもよい。
【００２１】
筒型吹き抜き材１３は、ビニル樹脂などの可撓性の素材で形成されている。また、筒型吹き抜き材１３は、カバー材１１と雨等でくっつかないように撥水性の部材としてもよい。さらに、筒型吹き抜き材１３の断面は、円形、長方形または五角形などの多角形であってもよい。また、筒型吹き抜き材１３は、風抜け時に抵抗にならないように、カバー材１１側の基端から漸次径広に形成してもよい。
【００２２】
筒型吹き抜き材１３の長さは限定されないが、隣の筒型吹き抜き材１３と絡まないようにし、最低でも通気部１２を覆うようにすればよい。例えば、通気部１２の孔の大きさが略１０ｃｍで、通気部１２の孔同士の間隔が略１ｍの場合には、筒型吹き抜き材１３は略５０ｃｍの長さを有してカバー材１１の表面側に延伸されている。
【００２３】
そして、筒型吹き抜き材１３は、図１に示すように、Ｆ方向からカバー材１１の裏面側に風が吹いている場合には、カバー材１１の表面側に突出した状態でＧ方向に風を逃がすこととなる。また、風が吹いていない場合には、筒型吹き抜き材１３は、可撓性を有し、その自重によりカバー材１１上に横臥して通気部１２を覆った状態となるので防水性を有することとなる。
【００２４】
次に、本実施形態における防護カバーＡの製造方法について、図３（ａ）〜図３（ｃ）を参照して説明する。
【００２５】
まず、図３（ａ）に示すように、所定長さの筒型吹き抜き材１３を準備する。また、筒型吹き抜き材１３の先端部に筒型吹き抜き材１３の長さ方向に複数の切り目２１を入れて取付片２３を形成し、切り目２１の各先端部を結ぶ線を折り目にして、各取付片２３を筒型吹き抜き材１３の外周面側に折り曲げて展開する。そして、各取付片２３の裏面側に、リング状のリング部材２２を貼り付ける。このようにして、筒型吹き抜き材１３の基端部Ｂに、カバー材１１に取り付けるための取り付け部分が形成される。
【００２６】
次いで、図３（ｂ）に示すように、所定大きさのカバー材１１を準備する。そのカバー材１１の筒型吹き抜き材１３の取り付け箇所Ｃに、同筒型吹き抜き材１３が裏面側に抜けないような大きさを有する多数個の通し孔１７を開けて通気部１２とすることにより、裏面抜け防止部材１４を形成する。
【００２７】
そして、図３（ｃ）に示すように、筒型吹き抜き材１３の先端部周辺を熱圧着して、筒型吹き抜き材１３の先端部をカバー材１１に取り付けて、防護カバーＡを完成することができる。
【００２８】
次に、裏面抜け防止部材１４について図３〜図５を参照して詳細に説明する。
まず、図３（ａ）〜図３（ｃ）に示す製造方法により製造された防護カバーＡは、カバー材１１の所定のエリア内に配設されて複数の通し孔１７を設けて形成した通気部１２を通して風を通すようにしている。そして、前記通し孔１７は、筒型吹き抜き材１３がカバー材１１の裏面側に位置しにくいような大きさを有している。このようにして、裏面抜け防止部材１４を構成する前記通し孔１７を通して、筒型吹き抜き材１３がカバー材１１の裏面側に入り込まないようにしている。
【００２９】
また、裏面抜け防止部材１４は以下のようにして形成することもできる。すなわち、図４（ａ）に示すように、円筒体３２の先端部にフランジ３１を有する台座２４に、逆Ｕ字を描くように配設された２つの棒状体２５が交差して取り付けられている。この２つの棒状体２５が裏面抜け防止部材１４として機能することにより、筒型吹き抜き材１３がカバー材１１の裏面側に位置するのを防止している。
【００３０】
また、図４（ｂ）に示すように、前記２つの棒状体２５に代えて、通気部１２を横架した板材２６により裏面抜け防止部材１４を形成し、筒型吹き抜き材１３の裏面抜けを防止するようにしてもよい。
【００３１】
さらに、裏面抜け防止部材１４は、筒型吹き抜き材１３の先端部Ｄまたは中途部Ｅに配設する環状体１５で構成することもできる。すなわち、図５に示すように、筒型吹き抜き材１３の中途部Ｅを基端部Ｂおよび先端部Ｄよりも、その断面の大きさを大きく形成すると共に、その中途部Ｅに通気部１２の大きさよりも大きい環状体１５を配設する。この環状体１５は、筒型吹き抜き材１３の先端部Ｄまたは中途部Ｅであって、筒型吹き抜き材１３の内部または外部に取り付けられている。
【００３２】
また、前記環状体１５を、前記通気部１２よりも大きく形成し、通気部１２よりも大きい環状体１５が筒型吹き抜き材１３に取り付けることにより、環状体１５が通気部１２を通して、カバー材１１の裏面側に入り込むにくくなるようにしている。
【００３３】
さらに、環状体１５は、筒型吹き抜き材１３がカバー材１１の裏面側から表面側に横風を逃がすときに、筒型吹き抜き材１３とともに上方に持ち上げられるような質量を有するもの（例えばプラスチック製）で形成されている。また、筒型吹き抜き材１３から風が通さない状態のときは、環状体１５が錘として機能して、筒型吹き抜き材１３をカバー材１１の表面側により確実に横臥させることができる。
【００３４】
このように、筒型吹き抜き材１３の基端部Ｂ、先端部Ｄまたは中途部Ｅに裏面抜け防止部材１４を配設することにより、筒型吹き抜き材１３が常にシート体の表面側に突出して位置することにより、通気部１２が筒型吹き抜き材１３に覆われた状態を保つことができるため、通気部１２を通して雨水が浸入するのを防ぐことができる。
【００３５】
次に、本実施形態における防護カバーＡを建物１０の屋根の上部に設置する場合について図６を参照して説明する。
【００３６】
まず、図６に示すように、カバー材１１を屋根の一部を覆うように設置する。次いで、カバー材１１には複数個の通気部１２を設け、各通気部１２の周縁に設けた筒型吹き抜き材１３をそれぞれカバー材１１の表面側に延伸させる。この後、カバー材１１の周縁端部に係止部材１６を設けてカバー材１１を屋根上に固定させる。
【００３７】
係止部材１６は、例えば、図６に示すように、カバー材１１の外周端部に複数個の貫通孔２７を設け、その貫通孔２７に紐体２８を通し、そして、紐体２８の先端に砂袋２９など吊設する。または、係止部材１６は、建物１０周辺の地面に固定金具を取り付け、カバー材１１の外周端部の貫通孔２７に通された紐体２８を配設し、その紐体２８の先端を前記固定金具と連結することにより構成してもよい。
【００３８】
そのような状態において、図６に示すように、防護カバーＡがＦ方向から横風を受ける。すると、横風は、カバー材１１と屋根との間を通すと共に、カバー材１１に配設した通気部１２を通して、筒型吹き抜き材１３の先端からＧ方向へ抜けていく。このようにして、横風が抜けることにより、防護カバーＡが屋根から飛散するのを防止することができる。また、横風の風量により、筒型吹き抜き材１３のカバー材１１に対する起立角度が異なる。
【００３９】
また、雨が降った場合にでも、カバー材１１で屋根を覆っているので、雨から屋根を保護することができる。しかも、筒型吹き抜き材１３を、可撓性を有する部材で形成し、カバー材１１の表面側所定長さを有して延伸させ、しかもその筒型吹き抜き材１３の自重によりカバー材１１の表面側に横臥させて通気部１２を覆っているので、雨水が筒型吹き抜き材１３及び通気部１２を通してカバー材１１の裏面側の屋根に流れ込むのを防止することができる。
【００４０】
次に、本実施形態における防護カバーＡを足場に設置する場合について、図７を参照して説明する。
【００４１】
建築現場では建造しようとする建物２０の外壁の周辺に足場３０が組立てられている。すなわち、図７に示すように、建築現場において、足場３０が複数段組立てられ、その複数段の足場３０の側壁部に、本実施形態における複数段のカバー材１１が吊設されている。そして、その各カバー材１１には横風を通す通気部１２がそれぞれ配設されている。また、通気部１２の周縁よりカバー材１１の表面側（建物２０とは反対側）に延伸している。これにより防護カバーＡで雨が足場内に浸入するのを防護することができる。
【００４２】
このように、足場３０に防護カバーＡを設置した状態で横風を受けても、足場３０の側壁に設けたカバー材１１の通気部１２及び筒型吹き抜き材１３を通して、横風を逃がすことができる。なお、足場に設置する防護カバーＡは、筒型吹き抜き材１３の長さを屋根上に取り付けるものより短くして、表面側又は裏面側のいずれかの方向から横風が抜けるようにすることもできる。また、通気部１２に裏面抜け防止部材１４を取除いてもよい。
【００４３】
しかも、カバー材１１は、防音性のものまたは防水性のものを使用している。防音性を有するカバー材１１は、建築中の建物２０周辺に建築中の騒音が漏れるのを防護している。また、防水性を有するカバー材１１は、足場３０に降り注ぐ雨に対して防護している。
【００４４】
このようにして、建築中の建物２０に強い横風が吹き、建物２０とカバー材１１との間に横風が吹き込んでも、カバー材１１上に設けられた複数個の通気部１２と、各通気部１２からそれぞれカバー材１１の表面側に延伸された筒型吹き抜き材１３の内部とを通して、横風を逃がすことができるので、足場３０から防護カバーＡが飛散するのを少なくすることができる。
【符号の説明】
【００４５】
Ａ  防護カバー
１０  ２０  建物
１１  カバー材
１２  通気部
１３  筒体
１４  裏面抜け部材
１５  環状体
【図１】
2010133213.tif 000003
【図２】
2010133213.tif 000004
【図３】
2010133213.tif 000005
【図４】
2010133213.tif 000006
【図５】
2010133213.tif 000007
【図６】
2010133213.tif 000008
【図７】
2010133213.tif 000009